(57)【要約】【課題】フランジ部の先端部とエプロンの上端部との間から浸入した水を確実に洗い場用床部に流下させる。【解決手段】床パン１の浴槽設置用床部３に設置した浴槽２の洗い場に隣接したフランジ部６の下面に水返し用突部７を洗い場に沿って設ける。フランジ部６の下面の水返し用突部７よりもフランジ部６の先端側にずれた位置に上支持具８を設ける。下支持具９を堤部５に設ける。水返し用突部７の下端を堤部５の上面の洗い場側の端部よりも洗い場側にずれて位置させる。エプロン１０の背面側の上部に設けた上取付け部１１を上記上支持具８に取付けると共にエプロン１０の背面側の下部に設けた下取付け部１２を下支持具９に取付ける。エプロン１０の取付け状態でエプロン１０の下端を堤部５の洗い場側の側面に当接又は小間隙１３を介して対向させる。【選択図】図１
2008086569.tif 000002
【特許請求の範囲】
【請求項１】
床パンの浴槽を設置する浴槽設置用床部と洗い場となる洗い場用床部との境界に堤部を設け、床パンの浴槽設置用床部に設置した浴槽の洗い場に隣接したフランジ部の下面に水返し用突部を洗い場に沿って設け、フランジ部の下面の上記水返し用突部よりもフランジ部の先端側にずれた位置に上支持具を設け、堤部に下支持具を設け、上記水返し用突部の下端を堤部の上面の洗い場側の端部よりも洗い場側にずれて位置させ、エプロンの背面側の上部に設けた上取付け部を上記上支持具に取付けると共にエプロンの背面側の下部に設けた下取付け部を下支持具に取付け、該エプロンの取付け状態でエプロンの下端を堤部の洗い場側の側面に当接又は小間隙を介して対向させて成ることを特徴とする浴槽へのエプロン取付け部における排水構造。
【請求項２】
水返し用突部の洗い場側の側面に小突起リブを設け、該小突起リブにエプロンの上端部の背方端部を当接して成ることを特徴とする請求項１記載の浴槽へのエプロン取付け部における排水構造。
【発明の詳細な説明】
【技術分野】
【０００１】
本発明は、浴槽のフランジ部とエプロンの上端部との間に洗い場側から浸入した水を床パンの洗い場用床部側に流すようにした浴槽へのエプロン取付け部における排水構造に関するものである。
【背景技術】
【０００２】
従来から浴槽の洗い場側の側面を隠すためにエプロンを取付けるようにしている（例えば、特許文献１参照）。
【０００３】
上記特許文献１において、エプロン１０の取付けに当っては、図５に示すように、浴槽２のフランジ部６の先端部の下面側に下向き突部６ａを垂設し、この下向き突部６ａの背面側の洗い場に沿った方向にピース状の弾性体３１を一定間隔で複数取付け、浴槽２の側面の上端部にリブ３２を設け、エプロン１０の上端部に背方に向けて設けた係止部３０を、上記浴槽２の側面の上端部に設けたリブ３２と弾性体３１との間の隙間に差し込み、また、エプロン１０の下端部に背方に向けて突出した下横片３３を、床パン１の洗い場用床部４と浴槽設置用床部３との間の境界に設けられた堤部５の上面に載設させることで、エプロン１０を取付けるようにしている。
【０００４】
ところが、図６に示す従来例にあっては、エプロン１０の上端部とフランジ部の先端部に垂下した下向き突部６ａとの間の隙間から洗い場側から図５の矢印ホのように水が浸入すると、ピース状の弾性体３１とピース状の弾性体３１との間を通って、エプロン１０の上端部の係止部３０の先端から図６の矢印ヘのように下方に流下する（流入水に勢いがある場合は、更に、浴槽２の側面側に向かって流れる）。ところが、上記エプロン１０の上端部の係止部３０の先端が堤部５よりも浴槽２側にずれているので、上記流下する水は全て床パン１の浴槽設置用床部３に流れることになる。また、上記従来例において、仮に、エプロン１０の上端部の係止部３０の先端が堤部５の真上に位置していたとしても、係止部３０の先端から流下した水は堤部５の上面に載設したエプロン１０の下横片３３上に流れ、下横片３３の先端から床パン１の浴槽設置用床部３に流れることになる。
【０００５】
このように、従来にあっては、エプロン１０の上端部とフランジ部６の先端部の下向き突部６ａとの間の隙間から浸入した水は床パン１の浴槽設置用床部３に流れる。
【０００６】
しかしながら、床パン１の浴槽設置用床部３は、堤部５、エプロン１０により洗い場側と仕切られているので、洗い場側から床パン１の浴槽設置用床部３の掃除が容易にできず、したがって、エプロン１０の上端部とフランジ部６の先端部の下向き突部６ａとの間の隙間から浸入した水が、床パン１の浴槽設置用床部３に流れることで、床パン１の浴槽設置用床部３に「ぬめり」や「カビ」が発生して衛生上好ましくないという問題があった。
【特許文献１】特開平２００２−３３６１５１号公報
【発明の開示】
【発明が解決しようとする課題】
【０００７】
本発明は上記の従来の問題点に鑑みて発明したものであって、フランジ部の先端部とエプロンの上端部との間から浸入した水が床パンの浴槽設置用床部に流下することなく、確実に洗い場用床部に流下させることができ、床パンの浴槽設置用床部に水の浸入による「ぬめり」や「カビ」の発生を抑制することができる浴槽へのエプロン取付け部における排水構造を提供することを課題とするものである。
【課題を解決するための手段】
【０００８】
上記課題を解決するために本発明に係る浴槽へのエプロン取付け部における排水構造は、床パン１の浴槽２を設置する浴槽設置用床部３と洗い場となる洗い場用床部４との境界に堤部５を設け、床パン１の浴槽設置用床部３に設置した浴槽２の洗い場に隣接したフランジ部６の下面に水返し用突部７を洗い場に沿って設け、フランジ部６の下面の上記水返し用突部７よりもフランジ部６の先端側にずれた位置に上支持具８を設け、堤部５に下支持具９を設け、上記水返し用突部７の下端を堤部５の上面の洗い場側の端部よりも洗い場側にずれて位置させ、エプロン１０の背面側の上部に設けた上取付け部１１を上記上支持具８に取付けると共にエプロン１０の背面側の下部に設けた下取付け部１２を下支持具９に取付け、該エプロン１０の取付け状態でエプロン１０の下端を堤部５の洗い場側の側面に当接又は小間隙１３を介して対向させて成ることを特徴とするものである。
【０００９】
このような構成とすることで、フランジ部６の先端部とエプロン１０の上端部との間から浸入した水は、フランジ部６の下面に設けた水返し用突部７によりそれ以上の浸入が阻止され、水返し用突部７の下端から下方に流下する。ここで、水返し用突部７の下端を堤部５の上面の洗い場側の端部よりも洗い場側にずれて位置させてあるので、水返し用突部７の下端から下方に流下した水は、洗い場用床部４や堤部５上に流れることなく、堤部５の上面の洗い場側の端部よりも洗い場側にずれた位置に流れ、エプロン１０の下端の堤部５の洗い場側の側面との間から洗い場用床部４に流れ出ることになる。
【００１０】
また、水返し用突部７の洗い場側の側面に小突起リブ１４を設け、該小突起リブ１４にエプロン１０の上端部の背方端部を当接することが好ましい。
【００１１】
浴槽２への人の出入り時や、深く身体を沈めたり、浅く身体を沈めたりして浴槽２の膨張、収縮が発生した場合、水返し用突部７にエプロン１０の上端部が全長にわたって浴槽２に接触していると、接触抵抗が大きいため、音鳴りが生じるおそれがあるが、上記のように、水返し用突部７の洗い場側の側面に小突起リブ１４を設け、該小突起リブ１４にエプロン１０の上端部の背方端部を当接することで、点接触となり、接触抵抗が小さくて浴槽２の膨張、収縮による音鳴りを防止できる。
【発明の効果】
【００１２】
本発明は、上記のように、水返し用突部の下端を堤部の上面の洗い場側の端部よりも洗い場側にずれて位置させ、エプロンの上取付け部を上支持具に取付けると共にエプロンの下取付け部を下支持具に取付け、エプロンの取付け状態でエプロンの下端を堤部の洗い場側の側面に当接又は小間隙を介して対向させているので、フランジ部の先端部とエプロンの上端部との間から浸入した水は、水返し用突部によりそれ以上の浸入が阻止され、水返し用突部の下端から下方に流下してエプロンの下端の堤部の洗い場側の側面との間から洗い場用床部に流れることになり、洗い場用床部側が該流下した水で汚れても簡単に掃除でき、この結果、フランジ部の先端部とエプロンの上端部との間から浸入した水が浴槽設置用床部側に流下することがなく、浴槽設置用床部側に水の浸入による「ぬめり」や「カビ」の発生を抑制することができ、衛生的である。
【発明を実施するための最良の形態】
【００１３】
以下、本発明を添付図面に示す実施形態に基いて説明する。
【００１４】
床パン１は図１に示すように、浴槽２を設置する部分となる浴槽設置用床部３と洗い場となる洗い場用床部４とに分かれており、浴槽設置用床部３と洗い場用床部４との境界部には堤部５が上方に向けて突設してある。添付図面に示す実施形態では床パン１は浴槽設置用床部３、洗い場用床部４、堤部５を一体に形成したものであるが、浴槽設置用床部３と洗い場用床部４が別体で、堤部５が浴槽設置用床部３又は洗い場用床部４のいずれかに一体に形成してあり、堤部５部分で別体の浴槽設置用床部３と洗い場用床部４とを水密的に接続して床パン１を構成したものであってもよい。
【００１５】
堤部５には下支持具９が設けてある。添付図面に示す実施形態では下支持具９には弾性を有する略Ｃ字状をした受け部９ａを設けたもので、該下支持具９を堤部５の上面部の長手方向（洗い場に沿った方向）に間隔を介して複数個固着具により固着してある。
【００１６】
床パン１の浴槽設置用床部３には浴槽２が設置されるが、この浴槽２には上端開口の外周にフランジ部６が一体に形成してある。フランジ部６の先端には全長にわたって下方に向けて下向き突部６ａが一体に垂設してある。
【００１７】
床パン１の浴槽設置用床部３に設置した浴槽２の外周に設けた上記フランジ部６のうち洗い場に隣接したフランジ部６の下面には水返し用突部７を洗い場に沿って下方に向けて垂設してある。添付図面に示す実施形態では水返し用突部７はフランジ部６と一体に形成してある。また、フランジ部６の下面の上記水返し用突部７よりもフランジ部６の先端側にずれた位置に上支持具８を設けてある。該上支持具８は添付図面に示す実施形態では下方に向けて突設した突軸部８ａを設けたものである。
【００１８】
また、図２、図４に示すように、水返し用突部７の洗い場側の側面に小突起リブ１４を複数長手方向（洗い場に沿った方向）に間隔を介して一体に形成してある。
【００１９】
ここで、浴槽設置用床部３の所定位置に浴槽２を設置した状態で、図１に示すように、浴槽２のフランジ部６下面に設けた水返し用突部７の下端が堤部５の上面の洗い場側の端部よりも洗い場側にずれて位置するように設定している。
【００２０】
エプロン１０は浴槽２の洗い場側のフランジ部６の先端部と堤部５との間に取付けられて浴槽２の洗い場側の側面を覆い隠す役目をしている。このエプロン１０の背面側の上部には上取付け部１１を設けてあり、背面側の下部には下取付け部１２が設けてある。また、エプロン１０の最下端には下横片１８が背方に向けて一体に突設してある（下横片１８は下取付け部１２よりも下方に設けてある）。
【００２１】
添付図面に示す実施形態では、エプロン１０の上端部を背方に向けて上横片１５を一体に突設し、この上横片１５に長手方向（洗い場に沿った方向）に複数の孔１１ａを間隔を隔てて設けることで上取付け部１１を構成してあり、また、エプロン１０の背面下部の背方に向けて横片部１６を一体に突設し、この横片部１６の下面側に長手方向（洗い場に沿った方向）に複数の係止具１７を間隔を隔てて取付け、係止具１７に背方に向けて突出した係止部１２ａを設けて下取付け部１２を構成してある。
【００２２】
上記のような構成のエプロン１０を浴槽２の洗い場側のフランジ部６の先端部と堤部５との間に取付けるに当っては、図２に示すように、エプロン１０の背面の上端部に設けた上横片１５の突出先端を水返し用突部７の洗い場側の側面の小突起リブ１４に当てて位置決めをした状態で、上横片１５に設けた上取付け部１１である孔１１ａをフランジ部６下面に設けた上支持具８の突軸部８ａに嵌め込み、図３に示すように、エプロン１０の背面の下部に設けた下取付け部１２である係止部１２ａを堤部５の上面部に設けた下支持具９の受け部９ａに洗い場側から押し込むことで嵌め込む。このようにしてエプロン１０を取付けるのであるが、このエプロン１０の取付け状態において、図３に示すように、エプロン１０の下端を堤部５の洗い場側の側面に当接又は小間隙１３を介して対向するようになっている。また、エプロン１０を取付けた状態でエプロン１０全体が堤部５の洗い場側の側面より洗い場側にずれて位置するように設定してある。
【００２３】
しかして、洗い場側から図１の矢印イのように、浴槽２の洗い場側のフランジ部６の先端部の下向き突部６ａの下端と、エプロン１０の上端との間に水が浸入すると、フランジ部６下面に設けた水返し用突部７によりそれ以上の水の浸入が阻止され、水返し用突部７の下端から下方に図１の矢印ロのように流下する。
【００２４】
ここで、本発明にあっては、水返し用突部７の下端を堤部５の上面の洗い場側の端部よりも洗い場側にずれて位置させてあるので、水返し用突部７の下端から下方に流下した水は、浴槽設置用床部３や堤部５上に流れることなく、堤部５の上面の洗い場側の端部よりも洗い場側にずれた位置に流れてエプロン１０の背面の中央部又は下部に流れ、エプロン１０の背面に沿ってそのまま図１の矢印ハのように下方に流れて最下端の下横片１８上に流れ、エプロン１０の最下端である下横片１８先端と堤部５の洗い場側の側面との間から図１矢印ニのように洗い場用床部４に流れ出ることになる。
【００２５】
このように、フランジ部６の先端部とエプロン１０の上端部との間から浸入した水は、洗い場用床部４側に流出して、浴槽設置用床部３や堤部５上面に流れないので、浴槽設置用床部３や堤部５上面に侵入した水によって「ぬめり」や「かび」が発生するのを防止できる。一方、エプロン１０の下端と堤部５の洗い場側の側面との間から洗い場用床部４に流れた水は洗い場用床部４から洗い場用床部４に設けた排水部に排水されることになるが、エプロン１０の下端と堤部５の洗い場側の側面との間から洗い場用床部４に流れた水により仮に洗い場用床部４側に「ぬめり」や「かび」が発生するようなことがあっても、洗い場側であるため、簡単に掃除して「ぬめり」や「かび」を除去して綺麗にできる。
【００２６】
また、本発明の水返し用突部７の洗い場側の側面の小突起リブ１４は上記のようにエプロン１０の背面側上端部の上横片１５の先端部が押し当てられることで、上取付け部１１である孔１１ａを上支持具８の突軸部８ａに嵌め込むに当っての位置決め部材の役目をするのであるが、上横片１５の先端は小突起リブ１４に点接触するのみであるから、接触抵抗を小さくして浴槽２の膨張、収縮による音鳴りを防止することができる。
【図面の簡単な説明】
【００２７】
【図１】本発明の断面図である。
【図２】エプロンの上端部の取付け部分の拡大断面図である。
【図３】エプロンの下端部の取付け部分の拡大断面図である。
【図４】水返し用突部の小突起リブを設けた部分の下面図である。
【図５】従来例を示す断面図である。
【符号の説明】
【００２８】
１  床パン
２  浴槽
３  浴槽設置用床部
４  洗い場用床部
５  堤部
６  フランジ部
７  水返し用突部
８  上支持具
９  下支持具
１０  エプロン
１１  上取付け部
１２  下取付け部
１３  小間隙
１４  小突起リブ
【図１】
2008086569.tif 000003
【図２】
2008086569.tif 000004
【図３】
2008086569.tif 000005
【図４】
2008086569.tif 000006
【図５】
2008086569.tif 000007